(57)【要約】      （修正有）【課題】高齢者が軽快に利用でき、スーパーの店内でも利用でき、レジ台との高さにおいてバリアフリーとなった折りたたみ式買い物カートを提供する。【解決手段】買い物カートは、展開した際にはスーパーなどの店内用のカゴを載せることができるカゴ台３，４，５を設ける。また、上記カゴ台にはカゴの落下防止およびレジ台および詰め替え台との移乗を容易にするためにフレームが伸縮できる構造とする。さらに上記のフレーム構造は、フレームの間から購入した商品を直接あるいはレジ袋ごと、ほぼ垂直に収納バッグ９に入れることを可能とする様に構成する。【選択図】図１
0003172443.tif 000002
【実用新案登録請求の範囲】
【請求項１】
高齢者などが日常的に使用する折りたたみ式買い物カートであって、展開した際にはスーパーなどの店内用のカゴを載せることができるカゴ台を有し、カゴ台にはカゴの落下防止およびレジ台および詰め替え台との移乗を容易にするためのフレーム構造を有することを特徴とすると共に、このフレームの間から購入した商品を直接あるいはレジ袋ごと、ほぼ垂直に収納バッグに入れることを可能にしたフレーム構造を有することを特徴とする折りたたみ式買い物カート
【請求項２】
買い物カートに付属する収納バッグは、後輪の両脚フレームおよびカゴ台のフレームと紐あるいはベルトにて繋がっており、カートを展開した状態においては、カゴ台とほぼ垂直に垂れ下がった形状で上部に収納口が位置し、カートを折りたたんだ状態においては、前輪の両脚フレームの間から露出する形状となることにより、商品の収納を容易にするとともに折りたたんだ状態での移動を容易にしたフレーム構造を有することを特徴とする請求項１に記載の折りたたみ式買い物カート
【請求項３】
請求項１に記載の買い物カートにおけるカゴ台のフレーム構造はアルミあるいはアルミ合金素材の直径約３−４センチメートルの中空円筒形のフレームであって、フレーム自体がカゴの落下防止機能とカゴを約３−４センチメートル持ち上げフレームにカゴの底面の一端をのせることにより、レジ台との移乗を容易にしたことを特徴とする折りたたみ式買い物カート
【請求項４】
請求項１に記載の買い物カートにおけるカゴ台のフレーム構造は、カゴの底面の寸法に応じて伸縮できる機構を有し、この機構によりカゴを載せる際には伸展させ、カートを折りたたんだ際には収縮させることができる機能を有することを特徴とする折りたたみ式買い物カート
【考案の詳細な説明】
【技術分野】
【０００１】本考案は、高齢者など、いわゆる生活弱者の日々の買い物にかかる負担を軽減するためのスーパーなどの店内でも簡便に使用することが可能な買い物カートに関する。
【背景技術】
【０００２】高齢者や障害者などの買い物のための製品として、買い物カート、ショッピングカート、歩行補助具などが提供されている。二輪で引っ張って移動するもの、四輪で手押し車として移動するもの、折りたたみ式のものなどがある。
【先行技術文献】
【０００３】
【特許文献】
【特許文献】１．登録実用新案第３０４４３１０号  ２．特開２００３−１６５４４２号  ３．登録実用新案３０６７９９２号
【非特許文献】
【０００４】島製作所、象印ベビー、幸和製作所などの商品パンフレット
【考案の概要】
【考案が解決しようとする課題】
【０００５】従来の買い物カートでは、スーパーなどの店内で利用できないため、店の入口付近に置いて店内のカートを利用することとなり、このため高齢者などにとって負担の大きい作業となっている。店内のカゴを載せられるカートも提供されているが、手押し車の形状であるため歩行速度はゆっくりしたものとならざるを得ず、軽快に利用できるものとは言い難い。【０００６】このため、本件考案が解決する課題は、高齢者などが軽快に利用でき、スーパーの店内でも利用でき、レジ台との高さにおいてバリアフリーとすることにより、毎日楽しく元気に買い物に出かけられる用具を提供することである。
【課題を解決するための手段】
【０００７】本件考案は、歩行補助具を必要としない比較的元気な高齢者や障害者が、毎日楽しく買い物に出かけることができる生活支援用具を提供することを主旨とするものである。このため、折りたたんで軽快に移動でき、スーパーなどでは展開し四輪にして店内のカゴが載せられ、かご台とレジ台・詰め替え台との移乗を容易にし、カート付属のバッグへの収納も容易にしたものである。【０００８】本件考案は、高齢者などが日常的に使用する折りたたみ式買い物カートであって、展開した際にはスーパーなどの店内用のカゴを載せることができるカゴ台を有し、カゴ台にはカゴの落下防止およびレジ台および詰め替え台との移乗を容易にするためのフレーム構造を有することを特徴とすると共に、このフレームの間から購入した商品を直接あるいはレジ袋ごと、ほぼ垂直に収納バッグに入れることを可能にしたフレーム構造を有することを特徴とする折りたたみ式買い物カートである。【０００９】本考案による買い物カートに付属する収納バッグは、後輪の両脚フレームおよびカゴ台のフレームと紐あるいはベルトにて繋がっており、カートを展開した状態においては、図１に示された通りカゴ台とほぼ垂直に垂れ下がった形状で上部に収納口が位置し、カートを折りたたんだ状態においては、図２に示された通り前輪の両脚フレームの間から露出する形状となることにより、商品の収納を容易にするとともに折りたたんだ状態での移動を容易にしたフレーム構造を有することを特徴とする折りたたみ式買い物カートである。【００１０】本考案による買い物カートにおけるカゴ台のフレーム構造は、アルミあるいはアルミ合金素材の直径約３−４センチメートルの中空円筒形のフレームであって、フレーム自体がカゴの落下防止機能を有し、またカゴを約３−４センチメートル持ち上げカゴの底面の一端をフレームにのせることにより、買い物カートとレジ台および詰め替え台との移乗を容易にしたことを特徴とする折りたたみ式買い物カートである。つまり、フレームにのせることでカゴに傾斜角をつけるとともに、円筒形のフレーム上を滑らせることでカゴを容易に移乗できる機能を有するものとしたものである。【００１１】本考案による買い物カートにおけるカゴ台のフレーム構造は、カゴの底面の寸法に応じて伸縮できる機構を有し、この機構によりカゴを載せる際には伸展させ、カートを折りたたんだ際には収縮させコンパクトな外観にすることができる折りたたみ式買い物カートである。
【考案の効果】
【００１２】本考案により、スーパーなどの店内においても利用できることから、高齢者や障害者などいわゆる「生活弱者」にとって、日々の買い物にかかわる負担を軽減する効果を生じさせるものとなる。つまりスーパーの入口で折りたたみ式買い物カートを展開し、店内のカゴを載せ、このカゴ台はカゴ台のフレーム構造により、高さがレジ台および詰め替え台とバリアフリーとなるのである。【００１３】また、本考案による折りたたみ式買い物カートにより、スーパーなどの店内でも利用できることから、使用者は自宅を出てから帰宅するまで常に携行できることから、図３に示した通り、カートの取っ手部などに、レジでの会計を容易にする効果のある大型の財布や、買い忘れを防止するためのメモを差し込むポケットを付属させることができる。
つまり、会計にモタモタせず、買い忘れを防止し、また財布がカートに付属していることから、引ったくり被害の防止の効果を有するものである。【００１４】本考案における収納バッグは、図１および図３に示された通り、カートを展開したままカゴ台のフレームの間から、すっぽりと入れることができることから、購入した商品を収納バッグに入れることが容易にする効果を有し、またレジ袋を使用せずにいわゆるエコ・バッグとして利用することを可能にする効果を有するものである。
【図面の簡単な説明】
【００１５】
【図１】折りたたみ式買い物カートの構造を示した斜視概略図
【図２】買い物カート折りたたんだ状態を示した斜視概略図
【図３】買い物カートのかご台と取っ手の部分を示した斜視概略図
【符号の説明】
【００１６】１．折りたたみ式買い物カート
２．フレーム取っ手部
３．かご台フレーム外枠部
４．かご台フレーム外枠伸縮部
５．かご台フレーム底面部
６．後輪脚フレーム
７．前輪脚フレーム
８．車輪
９．収納バッグ
１０．フレームとバッグを繋ぐベルト紐
１１．バッグの出し入れ口
１２．財布バッグ
【図１】
0003172443.tif 000003
【図２】
0003172443.tif 000004
【図３】
0003172443.tif 000005
【手続補正書】
【提出日】平成23年6月21日(2011.6.21)
【手続補正１】
【補正対象書類名】実用新案登録請求の範囲
【補正対象項目名】請求項１
【補正方法】変更
【補正の内容】
【請求項１】
高齢者などが日常的に使用する折りたたみ式買い物カートであって、図１に記載のカゴ台フレーム構造により展開した際にはスーパーなどの店内用のカゴを載せることができるカゴ台を有し、カゴ台にはカゴの落下防止およびレジ台および詰め替え台との移乗を容易にするためのアルミあるいはアルミ合金素材の直径約３−４センチメートルの中空円筒型のフレーム構造を有することを特徴とすると共に、図１に記載のカゴ台底面部のフレームの間から購入した商品を直接あるいはレジ袋ごと、ほぼ垂直に収納バッグに入れることを可能にしたフレーム構造を有することを特徴とする折りたたみ式買い物カート
【手続補正２】
【補正対象書類名】実用新案登録請求の範囲
【補正対象項目名】請求項３
【補正方法】変更
【補正の内容】
【請求項３】
請求項１に記載の買い物カートにおけるカゴ台のフレーム構造はアルミあるいはアルミ合金素材の直径約３−４センチメートルの中空円筒形のフレームであって、フレーム自体がカゴの落下防止機能とカゴを約３−４センチメートル持ち上げフレームにカゴの底面の一端をのせることにより、レジ台との移乗を容易にしたことを特徴とする請求項１に記載の折りたたみ式買い物カート
【手続補正３】
【補正対象書類名】実用新案登録請求の範囲
【補正対象項目名】請求項４
【補正方法】変更
【補正の内容】
【請求項４】
請求項１に記載の買い物カートにおけるカゴ台のフレーム構造は、カゴの底面の寸法に応じて伸縮できる機構を有し、この機構によりカゴを載せる際には伸展させ、カートを折りたたんだ際には収縮させることができる機能を有することを特徴とする請求項１に記載の折りたたみ式買い物カート
【手続補正書】
【提出日】平成23年10月2日(2011.10.2)
【手続補正１】
【補正対象書類名】実用新案登録請求の範囲
【補正対象項目名】請求項１
【補正方法】変更
【補正の内容】
【請求項１】
高齢者などが日常的に使用する折りたたみ式買い物カートであって、展開した際にはスーパーなどの店内用のカゴを載せることができるカゴ台を有し、カゴ台にはカゴの落下防止およびレジ台および詰め替え台との移乗を容易にするためのアルミあるいはアルミ合金素材の直径約３−４センチメートルの中空円筒型のパイプによる、幅２５−３５センチメートル長さ４０−５０センチメートルの長方形の外枠のフレーム構造とカゴの底面を支えるための３−４本のパイプによるフレーム構造を有することを特徴とし、またカゴ台底面部のフレームの間から購入した商品を直接あるいはレジ袋ごと、ほぼ垂直に収納バッグに入れることを可能にするため収納バッグの上方のカゴの底面を支えるパイプの間隔を２０−３０センチメートルとしたフレーム構造を有することを特徴とする折りたたみ式買い物カート